【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
１つまたは複数のコンピュータと、
実行されるとき、前記１つまたは複数のコンピュータに動作を実行させるコンピュータプログラムを有形に符号化するコンピュータ読み取り可能な媒体と、
を含み、
前記動作は、
検索エンジンにより検索クエリーを満たすと識別された複数のリソースを識別する情報を受信し、
前記複数のリソースのうちの第１のリソースがディスカッションフォーラムへの投稿を含むことを判断し、
各々が前記第１のリソースと異なり、各々が前記第１のリソースに直接または間接にリンクされ、各々が前記ディスカッションフォーラムへの１つまたは複数の他の投稿を含む１つまたは複数の第２のリソースを識別することを含み、
前記第２のリソースは前記複数のリソースの中に存在しない少なくとも１つのリソースを含み、
前記動作は、
前記第１のリソース、および、前記複数のリソースの中に存在しない少なくとも１つのリソースを含む１つまたは複数の第２のリソースから前記ディスカッションフォーラムについての情報を抽出し、
前記検索クエリーへの応答の一部として前記第１のリソースへのリンクとともに前記抽出されたディスカッションフォーラムについての情報をユーザへの表示のためにユーザ装置に提供することをさらに含むシステム。
【請求項２】
前記１つまたは複数の第２のリソースは、前記第１のリソースと前記第２のリソースの各々とが共有する１つまたは複数の属性に少なくとも一部基づいて識別され、
前記１つまたは複数の第２のリソースを識別する動作は、
前記第１のリソースについての属性の値を決定し、
前記属性が対応付けされた他のリソースを識別し、
前記他のリソースの属性の値を決定し、
識別されたリソースの属性の値が前記第１のリソースの属性の値と等しいならば、前記識別されたリソースを第２のリソースとして指定することをさらに含む請求項１に記載のシステム。
【請求項３】
前記１つまたは複数の属性は、前記複数の投稿が前記ディスカッションフォーラムに提供された時刻、および、前記複数の投稿を提供した著者を含む請求項２に記載のシステム。
【請求項４】
前記抽出された情報は、前記ディスカッションフォーラムに前記投稿および１つまたは複数の他の投稿を提供した著者の数、最新の投稿が提供された時刻、同じ著者によって提供された投稿の数、および投稿への回答の数を含む請求項３に記載のシステム。
【請求項５】
前記検索エンジンにより識別された複数のリソースは、前記１つまたは複数の第２のリソースのうち少なくとも１つを含む請求項３に記載のシステム。
【請求項６】
前記第１のリソースに含まれる投稿は対応付けされた最初のタイムスタンプを含み、前記最初のタイムスタンプは前記ディスカッションフォーラムに最初の投稿が提供された時刻を表わす請求項１に記載のシステム。
【請求項７】
前記１つまたは複数の第２のリソースに含まれる１つまたは複数の他の投稿は、前記第１のリソースに含まれる投稿の時刻の前または後のいずれかの時刻に提供されたものである請求項６に記載のシステム。
【請求項８】
検索エンジンにより検索クエリーを満たすと識別された複数のリソースを識別する情報を受信するステップと、
前記複数のリソースのうちの第１のリソースがディスカッションフォーラムへの投稿を含むことを判断するステップと、
各々が前記第１のリソースと異なり、各々が前記第１のリソースに直接または間接にリンクされ、各々が前記ディスカッションフォーラムへの１つまたは複数の他の投稿を含む１つまたは複数の第２のリソースを識別するステップと、を含み、
前記第２のリソースは前記複数のリソースの中に存在しない少なくとも１つのリソースを含み、
前記第１のリソース、および、前記複数のリソースの中に存在しない少なくとも１つのリソースを含む１つまたは複数の第２のリソースから前記ディスカッションフォーラムについての情報を抽出するステップと、
前記検索クエリーへの応答の一部として前記第１のリソースへのリンクとともに前記抽出されたディスカッションフォーラムについての情報をユーザへの表示のためにユーザ装置に提供するステップと、
をさらに含むコンピュータ実装された方法。
【請求項９】
前記１つまたは複数の第２のリソースは、前記第１のリソースと前記第２のリソースの各々とが共有する１つまたは複数の属性に少なくとも一部基づいて識別され、
前記方法は、
前記第１のリソースについての属性の値を決定するステップと、
前記属性が対応付けされた他のリソースを識別するステップと、
前記他のリソースの属性の値を決定するステップと、
識別されたリソースの属性の値が前記第１のリソースの属性の値と等しいならば、前記識別されたリソースを第２のリソースとして指定するステップと、
をさらに含む請求項８に記載の方法。
【請求項１０】
前記１つまたは複数の属性は、前記複数の投稿が前記ディスカッションフォーラムに提供された時刻、および、前記複数の投稿を提供した著者を含む請求項９に記載の方法。
【請求項１１】
前記抽出された情報は、前記ディスカッションフォーラムに前記投稿および１つまたは複数の他の投稿を提供した著者の数、最新の投稿が提供された時刻、同じ著者によって提供された投稿の数、および投稿への回答の数を含む請求項１０に記載の方法。
【請求項１２】
前記検索エンジンにより識別された複数のリソースは、前記１つまたは複数の第２のリソースのうち少なくとも１つを含む請求項１０に記載の方法。
【請求項１３】
前記第１のリソースに含まれる投稿は対応付けされた最初のタイムスタンプを含み、前記最初のタイムスタンプは前記ディスカッションフォーラムに最初の投稿が提供された時刻を表わす請求項８に記載の方法。
【請求項１４】
前記１つまたは複数の第２のリソースに含まれる１つまたは複数の他の投稿は、前記第１のリソースに含まれる投稿の時刻の前または後のいずれかの時刻に提供されたものである請求項１３に記載の方法。
【請求項１５】
１つまたは複数のコンピュータと、
実行されるとき、前記１つまたは複数のコンピュータに動作を実行させるコンピュータプログラムを有形に符号化するコンピュータ読み取り可能な媒体と、
を含み、
前記動作は、
ディスカッションフォーラムの検索を要求するリクエストおよび検索クエリーを受信し、
各々が前記検索クエリーを満たす複数のリソースを識別する検索エンジンからの情報を受信し、
各々が前記検索クエリーを満たす複数のリソースの中で複数のディスカッションスレッドウェブページを識別することを含み、
各々のディスカッションスレッドウェブページは特定のディスカッションフォーラムの中に存在し、
前記動作は、
前記ディスカッションスレッドウェブページを複数のディスカッションフォーラムにグループ化し、
前記複数のディスカッションフォーラムの各々についての情報をそれぞれのディスカッションフォーラムの中のディスカッションスレッドウェブページから抽出し、
前記検索クエリーへの応答の一部として前記複数のディスカッションフォーラムの各々へのリンクとともにそれぞれの抽出された情報をユーザへの表示のためにユーザ装置に提供することをさらに含むシステム。
【請求項１６】
前記複数のディスカッションスレッドウェブページから複数のディスカッションフォーラムを識別することは、
第１のディスカッションスレッドウェブページへの第１のリンクを識別し、
第２のディスカッションスレッドウェブページへの第２のリンクを識別し、
前記第１のディスカッションスレッドウェブページが前記第２のディスカッションスレッドウェブページを指し示すリンクを含むことを判断し、前記第１のディスカッションスレッドウェブページおよび前記第２のディスカッションスレッドウェブページが同じディスカッションフォーラムを出所とするとして指定することを含み、
前記第１のリンクおよび前記第２のリンクは同じディスカッションフォーラムを指し示す請求項１５に記載のシステム。
【請求項１７】
各々のディスカッションスレッドウェブページは、対応するディスカッションフォーラムへの１つまたは複数の投稿を含み、
前記検索エンジンは、ディスカッションスレッドウェブページに含まれる少なくとも１つの投稿が前記検索クエリーを満たすことを判断した請求項１５に記載のシステム。
【請求項１８】
前記検索エンジンは、前記複数のディスカッションスレッドウェブページに、対応する複数の順位付けを提供し、
前記動作は、最高の順位付けを有するディスカッションスレッドウェブページを含むディスカッションフォーラムへのリンクが最初に表示されるように、前記複数の順位付けの降順で前記複数のディスカッションフォーラムの各々へのリンクを含む複数のリンクを表示することをさらに含む請求項１５に記載のシステム。
【請求項１９】
ディスカッションフォーラムの検索を要求するリクエストおよび検索クエリーを受信するステップと、
各々が前記検索クエリーを満たす複数のリソースを識別する検索エンジンからの情報を受信するステップと、
各々が前記検索クエリーを満たす複数のリソースの中で複数のディスカッションスレッドウェブページを識別するステップと、を含み、
各々のディスカッションスレッドウェブページは特定のディスカッションフォーラムの中に存在し、
前記ディスカッションスレッドウェブページを複数のディスカッションフォーラムにグループ化するステップと、
前記複数のディスカッションフォーラムの各々についての情報をそれぞれのディスカッションフォーラムの中のディスカッションスレッドウェブページから抽出するステップと、
前記検索クエリーへの応答の一部として前記複数のディスカッションフォーラムの各々へのリンクとともにそれぞれの抽出された情報をユーザへの表示のためにユーザ装置に提供するするステップと、
をさらに含むコンピュータ実装された方法。
【請求項２０】
前記複数のディスカッションスレッドウェブページから複数のディスカッションフォーラムを識別するステップは、
第１のディスカッションスレッドウェブページへの第１のリンクを識別するステップと、
第２のディスカッションスレッドウェブページへの第２のリンクを識別するステップと、
前記第１のディスカッションスレッドウェブページが前記第２のディスカッションスレッドウェブページを指し示すリンクを含むことを判断し、前記第１のディスカッションスレッドウェブページおよび前記第２のディスカッションスレッドウェブページが同じディスカッションフォーラムを出所とするとして指定するステップと、を含み、
前記第１のリンクおよび前記第２のリンクは同じディスカッションフォーラムを指し示す請求項１９に記載の方法。
【請求項２１】
各々のディスカッションスレッドウェブページは、対応するディスカッションフォーラムへの１つまたは複数の投稿を含み、
前記検索エンジンは、ディスカッションスレッドウェブページに含まれる少なくとも１つの投稿が前記検索クエリーを満たすことを判断した請求項１９に記載の方法。
【請求項２２】
前記検索エンジンは、前記複数のディスカッションスレッドウェブページに、対応する複数の順位付けを提供し、
前記方法は、最高の順位付けを有するディスカッションスレッドウェブページを含むディスカッションフォーラムへのリンクが最初に表示されるように、前記複数の順位付けの降順で前記複数のディスカッションフォーラムの各々へのリンクを含む複数のリンクを表示するステップをさらに含む請求項１９に記載の方法。
【請求項２３】
データ処理装置によって実行されるとき、前記データ処理装置に動作を実行させる命令を含むコンピュータプログラムで符号化されたコンピュータ記憶媒体であって、
前記動作は、
検索エンジンにより検索クエリーを満たすと識別された複数のリソースを識別する情報を受信し、
前記複数のリソースのうちの第１のリソースがディスカッションフォーラムへの投稿を含むことを判断し、
各々が前記第１のリソースと異なり、各々が前記第１のリソースに直接または間接にリンクされ、各々が前記ディスカッションフォーラムへの１つまたは複数の他の投稿を含む１つまたは複数の第２のリソースを識別することを含み、
前記第２のリソースは前記複数のリソースの中に存在しない少なくとも１つのリソースを含み、
前記動作は、
前記第１のリソース、および、前記複数のリソースの中に存在しない少なくとも１つのリソースを含む１つまたは複数の第２のリソースから前記ディスカッションフォーラムについての情報を抽出し、
前記検索クエリーへの応答の一部として前記第１のリソースへのリンクとともに前記抽出されたディスカッションフォーラムについての情報をユーザへの表示のためにユーザ装置に提供することをさらに含むコンピュータ記憶媒体。
【請求項２４】
データ処理装置によって実行されるとき、前記データ処理装置に動作を実行させる命令を含むコンピュータプログラムで符号化されたコンピュータ記憶媒体であって、
前記動作は、
ディスカッションフォーラムの検索を要求するリクエストおよび検索クエリーを受信し、
各々が前記検索クエリーを満たす複数のリソースを識別する検索エンジンからの情報を受信し、
各々が前記検索クエリーを満たす複数のリソースの中で複数のディスカッションスレッドウェブページを識別することを含み、
各々のディスカッションスレッドウェブページは特定のディスカッションフォーラムの中に存在し、
前記動作は、
前記ディスカッションスレッドウェブページを複数のディスカッションフォーラムにグループ化し、
前記複数のディスカッションフォーラムの各々についての情報をそれぞれのディスカッションフォーラムの中のディスカッションスレッドウェブページから抽出し、
前記検索クエリーへの応答の一部として前記複数のディスカッションフォーラムの各々へのリンクとともにそれぞれの抽出された情報をユーザへの表示のためにユーザ装置に提供することをさらに含むコンピュータ記憶媒体。
【請求項２５】
前記第１のリソースに直接または間接にリンクされた第２のリソースの各々は、前記第１のリソースで開始し、前記第２のリソースで終了する１つまたは複数の外部リンクによってリンクされる請求項１に記載のシステム。
【請求項２６】
前記第１のリソースに直接または間接にリンクされた第２のリソースの各々は、前記第１のリソースで開始し、前記第２のリソースで終了する１つまたは複数の外部リンクによってリンクされる請求項８に記載の方法。
【請求項２７】
前記第１のリソースに直接または間接にリンクされた第２のリソースの各々は、前記第１のリソースで開始し、前記第２のリソースで終了する１つまたは複数の外部リンクによってリンクされる請求項２３に記載の記憶媒体。